【手続補正書】
【提出日】平成16年2月12日(2004.2.12)
【手続補正１】
【補正対象書類名】明細書
【補正対象項目名】特許請求の範囲
【補正方法】変更
【補正の内容】
【特許請求の範囲】
【請求項１】
天面に被加熱物を載置する天板を有する本体と、被加熱物を加熱する加熱コイルと、前記加熱コイルの出力を制御する制御部と、前記本体より出没自在又は前記本体に対し回動自在に設けられた測温部材とを有し、
前記測温部材に被加熱物の温度を計測するための温度計測手段が備えられていることを特徴とする電気加熱調理器。
【請求項２】
前記測温部材が前記本体天面に備えられていることを特徴とする請求項１に記載の電気加熱調理器。
【請求項３】
天面に被加熱物を載置する天板を有する本体と、被加熱物を加熱する加熱コイルと、前記加熱コイルの出力を制御する制御部と、前記本体の天面に設置された前記天板の外周に沿って設けられた枠体と、前記被加熱物の温度を計測するための温度計測手段を有し、
前記温度計測手段が前記本体後方天面の枠体に備えられていることを特徴とする電気加熱調理器。
【請求項４】
天面に被加熱物を載置する天板を有する本体と、被加熱物を加熱する加熱コイルと、前記加熱コイルの出力を制御する制御部と、前記本体の天面に設置された前記天板の外周に沿って設けられた枠体と、前記被加熱物の温度を計測するための温度計測手段を有し、
前記温度計測手段が前記天板ないし枠体の上面に備えられていることを特徴とする電気加熱調理器。
【請求項５】
前記温度計測手段は前記本体手前側上面の枠体に備えられていることを特徴とする請求項４に記載の電気加熱調理器。
【請求項６】
前記加熱コイルを複数設けると共に、前記加熱コイルにより加熱される被加熱物に対応させて前記温度計測手段を複数設けたことを特徴とする請求項１乃至５のいずれかに記載の電気加熱調理器。
【請求項７】
前記加熱コイルを複数設けると共に、前記加熱コイルにより加熱される被加熱物の温度を計測する前記温度計測手段を１つ設けたことを特徴とする請求項１乃至５のいずれかに記載の電気加熱調理器。
【請求項８】
前記温度計測手段により検出される被加熱物の温度状況が前記制御部に送られ、前記制御部は前記被加熱物の温度状況によって加熱コイルの出力を制御することを特徴とする請求項１乃至７のいずれかに記載の電気加熱調理器。
【請求項９】
前記温度計測手段が赤外線センサーによって構成されていることを特徴とする請求項１乃至８のいずれかに記載の電気加熱調理器。
【請求項１０】
加熱コイルの出力状況を表示する表示部を有することを特徴とする請求項８記載の電気加熱調理器。
【請求項１１】
前記温度計測手段の動作時において、前記温度計測手段を被加熱物に接触又は近接して配置することを特徴とする請求項１乃至１０のいずれかに記載の電気加熱調理器。
【手続補正２】
【補正対象書類名】明細書
【補正対象項目名】０００８
【補正方法】変更
【補正の内容】
【０００８】
【課題を解決するための手段】
前記目的を達成するために本発明にかかる電気加熱調理器は、天面に被加熱物を載置する天板を有する本体と、被加熱物を加熱する加熱コイルと、前記加熱コイルの出力を制御する制御部と、前記本体より出没自在又は前記本体に対し回動自在に設けられた測温部材とを有し、前記測温部材に被加熱物の温度を計測するための温度計測手段が備えられていることを特徴とする。
また、本発明における電気加熱調理器は、前記測温部材が前記本体天面に備えられているものである。


【手続補正３】
【補正対象書類名】明細書
【補正対象項目名】０００９
【補正方法】変更
【補正の内容】
【０００９】
また、本発明にかかる電気加熱調理器は、天面に被加熱物を載置する天板を有する本体と、被加熱物を加熱する加熱コイルと、前記加熱コイルの出力を制御する制御部と、前記本体の天面に設置された前記天板の外周に沿って設けられた枠体と、前記被加熱物の温度を計測するための温度計測手段を有し、前記温度計測手段が前記本体後方天面の枠体に備えられていることを特徴とする。
また、本発明にかかる電気加熱調理器は、天面に被加熱物を載置する天板を有する本体と、被加熱物を加熱する加熱コイルと、前記加熱コイルの出力を制御する制御部と、前記本体の天面に設置された前記天板の外周に沿って設けられた枠体と、前記被加熱物の温度を計測するための温度計測手段を有し、前記温度計測手段が前記天板ないし枠体の上面に備えられていることを特徴とする。


【手続補正４】
【補正対象書類名】明細書
【補正対象項目名】００１０
【補正方法】変更
【補正の内容】
【００１０】
また、本発明における電気加熱調理器は、前記温度計測手段は前記本体手前側上面の枠体に備えられているものである。
また、本発明における電気加熱調理器は、前記加熱コイルを複数設けると共に、前記加熱コイルにより加熱される被加熱物に対応させて前記温度計測手段を複数設けたものである。
また、本発明にかかる電気加熱調理器は、前記加熱コイルを複数設けると共に、前記加熱コイルにより加熱される被加熱物の温度を計測する前記温度計測手段を１つ設けたものである。


【手続補正５】
【補正対象書類名】明細書
【補正対象項目名】００６２
【補正方法】変更
【補正の内容】
【００６２】
【発明の効果】
以上説明したように、本発明の請求項１記載の電気加熱調理器によれば、天面の平滑性を保ったまま、被加熱物の温度の計測を良好に行うことが可能となる。
また本発明の請求項２記載の電気加熱調理器によれば、被加熱物の近傍に温度計測手段を配置することが可能となる。
【手続補正６】
【補正対象書類名】明細書
【補正対象項目名】００６３
【補正方法】変更
【補正の内容】
【００６３】
また本発明の請求項３記載の電気加熱調理器によれば、製造が比較的容易になる。
また本発明の請求項４記載の電気加熱調理器によれば、被加熱物の近傍に温度計測手段を配置することが可能となる。
【手続補正７】
【補正対象書類名】明細書
【補正対象項目名】００６４
【補正方法】変更
【補正の内容】
【００６４】
また本発明の請求項５記載の電気加熱調理器によれば、天板に測温部材などを取付けるための加工等を施す必要が無くなる。
また本発明の請求項６記載の電気加熱調理器によれば、温度を正確に管理しながら良好に調理を行うことができる。
また本発明の請求項７記載の電気加熱調理器によれば、コストを抑えることができるとももに、組立作業を容易にすることが可能となる。
【手続補正８】
【補正対象書類名】明細書
【補正対象項目名】００６５
【補正方法】変更
【補正の内容】
【００６５】
また本発明の請求項８記載の電気加熱調理器によれば、被調理物の温度状態に応じた加熱制御を行うことができる。


【手続補正９】
【補正対象書類名】明細書
【補正対象項目名】００６６
【補正方法】変更
【補正の内容】
【００６６】
また本発明の請求項９記載の電気加熱調理器によれば、調理器の使用性を向上することができる。


【手続補正１０】
【補正対象書類名】明細書
【補正対象項目名】００６７
【補正方法】変更
【補正の内容】
【００６７】
また本発明の請求項１０記載の電気加熱調理器によれば、加熱出力の状態を容易に確認できる。


【手続補正１１】
【補正対象書類名】明細書
【補正対象項目名】００６８
【補正方法】変更
【補正の内容】
【００６８】
また本発明の請求項１１記載の電気加熱調理器によれば、良好な温度計測を行い得る。